(57)【要約】【課題】ＲＦコイルを寝台装置側から支えた状態で撮影を行うことができるＭＲＩ装置を提供する。【解決手段】被検体が載置される天板４１と、平板状のＲＦコイルと、支柱を有し、該支柱の一端に天板４１の短手方向の端部に結合され短手方向へヒンジ運動を行うヒンジ部４３２ａを有し、そのヒンジ運動によって支柱が起立したときに被検体を挟んでＲＦコイルを支持する受部材４３７ａを他端に有する、天板４１の短手方向の両側端部に配置された支持手段４３と、天板４１に載置された被検体からの核磁気共鳴信号をＲＦコイルで検出し、該検出されたデータに基づいて断層画像の画像データを形成する画像形成手段とを備える。【選択図】図１
2008253410.tif 000002
【特許請求の範囲】
【請求項１】
被検体が載置される天板と、
平板状のＲＦコイルと、
支柱を有し、該支柱の一端に前記天板の短手方向の端部に結合され前記短手方向へヒンジ運動を行うヒンジ部を有し、そのヒンジ運動によって前記支柱が起立したときに前記被検体を挟んで前記ＲＦコイルを支持する受部材を他端に有する、前記天板の前記短手方向の両側端部に配置された支持手段と、
前記天板に載置された前記被検体からの核磁気共鳴信号を前記ＲＦコイルで検出し、該検出されたデータに基づいて断層画像の画像データを形成する画像形成手段と
を備えることを特徴とするＭＲＩ装置。
【請求項２】
前記支柱は前記天板の長手方向に沿って幅を有することを特徴とする請求項１に記載のＭＲＩ装置。
【請求項３】
前記支持手段に結合され、前記ヒンジ運動により前記天板と逆方向へ倒れている状態の前記支持手段を、前記天板を挟んで短手方向逆側から引っ張ることにより起立させるベルト部材をさらに備えることを特徴とする請求項１又は請求項２に記載のＭＲＩ装置。
【請求項４】
前記天板は
前記短手方向の前記両側端部に前記長手方向に沿ってレールが配置され、
前記ヒンジ部は、
該レールに沿って前記天板の前記長手方向に移動可能に該レールに結合されている
ことを特徴とする請求項１乃至３のいずれか一つに記載のＭＲＩ装置。
【請求項５】
前記ベルト部材は前記支持手段に取り外し可能に結合されていることを特徴とする請求項１乃至４のいずれか一つに記載のＭＲＩ装置。
【請求項６】
前記支持手段は、前記支柱と前記受部材の間にヒンジ機構を有することを特徴とする請求項１乃至５のいずれか一つに記載のＭＲＩ装置。
【請求項７】
前記被検体と前記天板との間に前記天板側が易滑性のシートをさらに備え
前記ベルト部材は前記シートと前記天板の間を通過するよう配置されている
ことを特徴とする請求項１乃至６のいずれか一つに記載のＭＲＩ装置。
【請求項８】
前記シートは前記短手方向の両側端部にレールが配置され、
該レールに前記シートの長手方向に沿って移動可能な接続部材を備え、
前記ベルト部材は、
前記接続部材を経由している前記シートと前記天板の間を通過するよう配置されている
ことを特徴とする請求項１乃至７のいずれか一つに記載のＭＲＩ装置。
【請求項９】
被検体が載置される天板と、
支柱を有し、該支柱の一端に前記天板の短手方向の端部に結合され前記短手方向へヒンジ運動を行うヒンジ部を有し、そのヒンジ運動によって前記支柱が起立したときに前記被検体を挟んで平板状のＲＦコイルを支持する受部材を他端に有する、前記天板の前記短手方向の両側端部に配置された支持手段と
を備えることを特徴とするＭＲＩ寝台装置
【請求項１０】
前記支柱は前記天板の長手方向に沿って幅を有することを特徴とする請求項９に記載のＭＲＩ寝台装置。
【請求項１１】
前記支持手段に結合され、前記ヒンジ運動により前記天板と逆方向へ倒れている状態の前記支持手段を、前記天板を挟んで短手方向逆側から引っ張ることにより起立させるベルト部材をさらに備えることを特徴とする請求項９又は請求項１０に記載のＭＲＩ寝台装置。
【請求項１２】
前記天板は
前記短手方向の前記両側端部に前記長手方向に沿ってレールが配置され、
前記ヒンジ部は、
該レールに沿って前記天板の前記長手方向に移動可能に該レールに結合されている
ことを特徴とする請求項９乃至請求項１１のいずれか一つに記載のＭＲＩ寝台装置。
【発明の詳細な説明】
【技術分野】
【０００１】
本発明は、被検体のＭＲＩ画像を撮影するためのＭＲＩ装置、及び、ＭＲＩ画像の撮影対象となる被検体が載置される寝台装置に関する。
【背景技術】
【０００２】
ＭＲＩ（Ｍａｇｎｅｔｉｃ  Ｒｅｓｏｎａｎｃｅ  Ｉｍａｇｉｎｇ：磁気共鳴イメージング）装置とは、寝台装置に載置され静磁場中に置かれた被検体に対し、傾斜磁場を印可した状態で、励起用磁場用コイル（送信ＲＦコイル）から励起用磁場（ＲＦ磁場）を印加すると共に、核磁気共鳴信号用コイル（受信ＲＦコイル）で核磁気共鳴信号（ＭＲ信号）を取得し、この取得されたＭＲ信号に基づき、当該被検体に関するＭＲＩ画像（断層像）を再構成する医用画像装置である。
【０００３】
このようなＭＲＩ装置を用いて断層撮影を行う場合、画像を高画質に得るためには数多くのＲＦ（Ｒａｄｉｏ  Ｆｒｅｑｕｅｎｃｙ）コイルを取り付ける必要がある。このため、ＲＦコイルを配置したユニット（シート）を被検体の上に載せて撮影した場合、被検体に多数のＲＦコイルを搭載したユニットが載せられることになり、被検体はＲＦコイルの重量感を感じ、撮影中の快適性は損なわれてしまう。
【０００４】
そこで、コイル自体を軽量化することで被検体の負担を軽減する試みもあったが、多チャンネル化に伴うＲＦコイルの増加、及びそれに伴う電気部品の増加によりその軽量化にも限界がある。
【０００５】
このため、従来、硬質な半円筒形型の台（以下「フォーマ」と呼ぶ。）を被検体の上にかぶせ、その上に受信ＲＦコイルが配置されたシートを、載置する構成にしたＭＲＩ装置（例えば、特許文献１）が提案されている。また、ＲＦコイルが配置されたユニット自体を硬質な素材にすることでフォーマと共用し、被検体への負荷を軽減するものもある。
【０００６】
【特許文献１】特開平０９−０７５３２３
【発明の開示】
【発明が解決しようとする課題】
【０００７】
しかし、ＲＦコイルが配置されたユニットとは別にフォーマ（ＲＦコイルを部位に合わせた形で支持する手段）を必要とする構成の場合、身体を覆う大きいフォーマとＲＦコイルが配置されたシートのセットという２回の手間が発生してしまう。また、フォーマとＲＦコイルが配置されたユニットを共用にした場合、フォーマと共用のＲＦコイルが配置されたユニット自体が大型化し、かつ重くなり、操作者の取り回しが困難になる。さらに、被検体の体格が大きい場合、寝台装置に載置された被検体を挟んで操作者と反対側にあるフォーマセットの位置が操作者から確認することが困難である。
【０００８】
この発明は、このような事情に鑑みてなされたもので、ＲＦコイルを寝台装置側から支えた状態で撮影を行うことができるＭＲＩ装置及び寝台装置を提供することを目的としている。
【課題を解決するための手段】
【０００９】
上記目的を達成するために、請求項１に記載のＭＲＩ装置は、被検体が載置される天板と、平板状のＲＦコイルと、支柱を有し、該支柱の一端に前記天板の短手方向の端部に結合され前記短手方向へヒンジ運動を行うヒンジ部を有し、そのヒンジ運動によって前記支柱が起立したときに前記被検体を挟んで前記ＲＦコイルを支持する受部材を他端に有する、前記天板の前記短手方向の両側端部に配置された支持手段と、前記天板に載置された前記被検体からの核磁気共鳴信号を前記ＲＦコイルで検出し、該検出されたデータに基づいて断層画像の画像データを形成する画像形成手段とを備えることを特徴とするものである。
【００１０】
請求項９に記載のＭＲＩ寝台装置は、被検体が載置される天板と、支柱を有し、該支柱の一端に前記天板の短手方向の端部に結合され前記短手方向へヒンジ運動を行うヒンジ部を有し、そのヒンジ運動によって前記支柱が起立したときに前記被検体を挟んで平板状のＲＦコイルを支持する受部材を他端に有する、前記天板の前記短手方向の両側端部に配置された支持手段とを備えることを特徴とするものである。
【発明の効果】
【００１１】
請求項１に記載のＭＲＩ装置及び請求項９に記載のＭＲＩ寝台装置によると、ＲＦコイルを下から支持部で支えることで、当該ＲＦコイルを被検体から浮いた状態もしくは被検体に軽く乗る状態で維持することができる。これにより、被検体にかかるＲＦコイルの加重が軽減され、撮影中の快適性を向上させることができる。
【発明を実施するための最良の形態】
【００１２】
〔第１の実施形態〕
（寝台装置の構成）
このＭＲＩ装置の寝台装置４の構成について説明する。図１は寝台装置４の天板４１に設けられた支持手段の外観構成の一例を表わしている。図２は本実施形態に係る寝台装置４の模式的な断面図を表わしている。図３は本実施形態に係る寝台装置４に被検体及びＲＦコイル８を載せたときの模式的な断面図である。
【００１３】
図１、図２に示す寝台装置４は、図３に示すようにＭＲＩ装置による画像撮影に供される被検体Ｐを寝台装置４の天板４１に載せ、さらにその上にＲＦコイル８を載せたときに、支持手段４３によってそのＲＦコイル８を下から支えるために使用されるものである。
【００１４】
ＲＦコイル８は、平板状の形状を有するよう構成される。また、ＲＦコイル８は、両端を下から支えた場合に、上方に湾曲する又はそのままの状態で下方に落下しない硬さを有する。また、以下では、ＲＦコイル８は５０ｃｍ角の大きさのもので説明する。ただし、ＲＦコイル８は、関心領域に合わせてサイズを変更する必要があり、それに対応させて、以下で説明する本発明に係る支持手段４３の大きさも変更することが好ましい。
【００１５】
寝台装置４は、その短手方向の両側端部に一対の長手方向（天板４１に載置される被検体Ｐの体軸方向）に沿って配置されたレール４２ａ及びレール４２ｂを含んで構成される。レール４２ａ及びレール４２ｂは、被検体Ｐが天板４１に乗るときや天板４１から降りるときに天板４１の短手方向又は床方向に撓むように、柔軟性を有する素材により生成されていることが望ましい。また、この素材は、反復利用に耐えうるために、耐久性（強度、耐衝撃性など）にも優れていることが望ましい。さらに、後述のように連結部材４３１ａ及び４３１ｂがレール４２ａ及び４２ｂ上を円滑に移動できるように、摺動特性も優れた素材であることが望ましい。このような条件を満たしうる素材としては、例えばポリアセタール（ｐｏｌｉｙａｃｅｔａｌ）などがある。
【００１６】
レール４２ａ及びレール４２ｂは、図２に示すように面ファスナ４５によって天板４１に脱着可能に接合される。ここで、レール４２ａ及びレール４２ｂの接合は脱着可能な状態で天板４１に限定する必要はなく、例えば接着剤などで互いを接着したり、周囲に紐部材などを巻回して固定したりしてもよい。
【００１７】
支持手段４３は、寝台装置４の両側端部に一対として設置されており、それぞれ、図１に示すように、連結部材４３１ａ、４３１ｂ、ヒンジ部４３２ａ、４３２ｂ、支柱となる板状部材４３３ａ、４３３ｂ、スリット４３４ａ、４３４ｂ、バックル４３５ａ（これに対応するバックルも反対側の支持手段４３は有しているが、板状部材４３３ｂに隠れて見えていない。）、ヒンジ部４３６ａ、４３６ｂ、及び受部材４３７ａ、４３７ｂ、を有する。そして、支持手段４３における板状部材４３３ａ、４３３ｂや受部材４３７ａ、４３７ｂは、図４に示すように長手方向に１０ｃｍの幅を有する。ここで、本実施形態では、５０ｃｍ角程度のＲＦコイル８を支えるために支持手段４３の幅を１０ｃｍとしたが、これは支えるＲＦコイル８の大きさや、支持手段４３の強度などを考えて変更することが好ましい。
【００１８】
ここで、天板４１の両側端部に配置された２つの支持手段４３はいずれも同じ構成を有しているので、以下では、図１に示す、連結部材４３１ａ、ヒンジ部４３２ａ、板状部材４３３ａ、スリット４３４ａ、バックル４３５ａ、ヒンジ部４３６ａ、及び受部材４３７ａで構成された支持手段４３について説明する。
【００１９】
連結部材４３１ａは、図２に示すようにその内周面がレール４２ａの外周面に係合する形状を有する係合部を備えて構成されている。そして、連結部材４３１ａは、図２に示すようにレール４２ａを覆うようにレール４２ａと連結さる。そして、図１に示すように、連結部材４３１ａは、レール４２ａに沿って、すなわち天板４１の長手方向に沿って移動可能である。また、レール４２ａの端部まで移動させることにより取り外し可能である。この連結部材４３１ａは、可撓性、耐久性、摺動特性などに優れたポリアセタール等の素材によって形成することが望ましい。また、連結部材４３１ａは短手方向には可動しないように構成されている。
【００２０】
連結部材４３１ａは、上述の係合部から上方（天板４１から離れる方向）に伸びヒンジ部４３２ａと結合している。また、連結部材４３１ａは、上方からかかる力によって係合部とレール４２ａの間の摩擦が大きくなり長手方向への移動を固定するように構成されている。
【００２１】
ヒンジ部４３２ａは、自由度の大きいヒンジ運動を行えるよう構成されている。このヒンジ部４３２ａのヒンジ運動により、板状部材４３３ａ、受部材４３７ａなどが、寝台装置４の天板４１側又は寝台装置４の外側（天板４１とは逆側）に向かって倒れることが可能な構成となっている。
【００２２】
ここで、本実施形態ではヒンジ部４３２ａを連結部材４３１ａと別に設けているが、これは、連結部材４３１ａを短手方向に可動可能にすることで、ヒンジ部４３２ａの機能を連結部４３１ａにまとめてもよい。
【００２３】
ヒンジ部４３２ａから上方に向かって板部材４３３ａが伸びヒンジ部４３６ａと結合している。
【００２４】
板部材４３３ａは高さ（直立したときに、天板から離れる方向の長さ）が２５〜３０ｃｍである。ここで、本実施形態では、寝台装置４に載置される被検体Ｐは様々な体格を有しているため、より多くの被検体Ｐに対しＲＦコイル８の加重の負荷を減らすとともに、ＲＦコイル８と被検体Ｐの間に隙間がなるべく開かないように２５〜３０ｃｍとしているが、被検体Ｐの体格と要求されるＲＦコイル８と被検体Ｐとの隙間の大きさに基づいて、板部材４３３ａの高さを決定する必要がある。
【００２５】
この板部材４３３ａにはスリット４３４ａが開けられている。さらに、スリット４３４ａの上方（天板から離れる方向）にバックル４３５ａが設けられている。
【００２６】
このバックル４３５ａは、雄部と雌部を有しており、一方が板部材４３３ａに配置されている。本実施形態では雌部が板部材４３３ａに配置されているとして説明する。バックル４３５ａは、バックル４３５ａの雄部とバックル４３５ａの雌部を結合させることによって、ベルト４４を支持手段４３に固定する構造になっている。
【００２７】
スリット４３４ａは、ベルト４４を通すための穴であり、スリット４３４ａの大きさはバックル４３５ａの雄部よりを小さい大きさである。これにより、バックル４３５ａの雄部が通り抜けなくなり、ベルト４４を見失うことを防止できる。図２に示すように、ベルト４４は寝台装置４の外側に位置するバックル４３５ａで支持手段４３に結合され、板部材４３３ａを通過して寝台装置４の天板４１側に抜けている。
【００２８】
ヒンジ部４３６ａは、自由度の小さいヒンジ運動を行うよう構成されている。そして、ヒンジ部４３６ａは上方で受部材４３７ａと結合している。
【００２９】
受部材４３７ａは、コの字型の形状を有している。そして、受部材４３７ａは、コの字型の開口部である受け口の方向を、ヒンジ部４３６ａのヒンジ運動により変えることが可能に構成されている。このヒンジ運動により、受部材４３７ａの受け口でＲＦコイル８が受け易くなる。そして、図３に示すように、受部材４３７ａは寝台装置４の短手方向両側からＲＦコイル８を挟み、ＲＦコイル８を下側から支える。ここで、本実施形態ではＲＦコイル８は、上述のように一定の硬さを有するため、両端を受部材４３７ａで支えられると天板側に落ちずに、上方に湾曲して支持される状態を維持できる。また、ベルト４４により寝台装置４の外側に支持手段４３が倒れないように押さえられているため、支持手段４３はＲＦコイル８から受部材４３７ａが受ける寝台装置４の外側に押す力によって直立する。
【００３０】
ここで、本実施形態では、受部材４３７ａを可動可能にするためにヒンジ部４３６ａを別個設けているが、支持部材４３自体の材質を柔軟性のあるプラスチックなどで構成した場合には、支持部材４３の撓りにより受部材４３７ａが可動可能になるため、ヒンジ部４３６ａを特に設けなくてもよい。
【００３１】
ベルト４４は、支持手段４３の両方が寝台装置４の外側に倒れたときにもスリット４３４ａ又はスリット４３４ｂから抜けない長さを有する。こうすることにより、支持手段４３が倒れている状態で患者が寝台装置４に載置されたとしても、操作者はどちら側からもベルト４４を確実に見つけることができる。
【００３２】
ベルト４４はその一端にバックル４３５ａの雄部を有し、多端にもう一つのバックルの雄部が設けられている。上述のようにバックル４３５ａの雄部及びもう一つのバックルの雄部を、それぞれバックル４３５ａの雌部及びもう一つのバックルの雌部とかみ合わせることにより、ベルト４４は両方の支持手段４３と結合する。
【００３３】
ここで、本実施形態では、ベルト４４と支持手段４３の結合にバックル４３５ａを使用しているが、接着剤などを用いて接合する構成や、紐部材を周囲に巻回して接合する構成などの任意の構成を適宜に採用することが可能である。
【００３４】
また、ベルト４４を寝台装置４の外側に引くことにより、寝台装置４を挟んで反対側にある支持手段４３を引っ張ることができる。これにより、支持手段４３は寝台装置４に向かって起立していく。このように、ベルト４４を引くことで寝台装置４を挟んだ反対側の支持手段４３を起立させることができるので、寝台装置４に被検体Ｐが載置されており、その被検体Ｐの体格が大きく寝台装置４の反対側が見難い場合にも、反対側の支持手段４３を探すことなく起立させることが可能となる。
【００３５】
そして、図３に示すように、ベルト４４は、天板４１の両側端部にある支持手段４３に結合されている。そこで、支持手段４３が、被検体Ｐを間においてＲＦコイル８を受部材４３７ａ、４３７ｂで受けて両側から挟んだときに、被検体Ｐの体重でＲＦコイルは下に引かれ、これにより、ＲＦコイル８は両側の支持手段４３を天板４１側に引っ張るよう構成されている。このベルト４４が支持手段４３を天板４１側へ引っ張る力が、ＲＦコイルが支持手段４３を寝台装置４の外側へ押す力に対抗することにより、支持手段４３が寝台装置４の外側に倒れないようになる。
【００３６】
さらに、本実施形態では、被検体Ｐが寝台装置４に載置された場合に、図３に示すように、天板４１と被検体Ｐの間にシート１１を挟んでいる。ここで、シート１１は、被検体Ｐの全身を乗せられる大きさを有するものである。そして、シート１１の被検体Ｐに接する面は撥水性が高い材質でできている。さらに、シート１１の天板４１に接する側の面は例えばポリエチレンやテフロンコーティングなどの滑り易い易滑性の材質でできている。また、本実施形態では、より精度よく画像を形成するため図３に示すように下側ＲＦコイル８ａを敷いているが、これは、被検体Ｐの寝心地を快適にするための単なるマットでもよく、また、何も敷かずに天板４１に直接被検体Ｐを載置してもよい。
【００３７】
そして、ベルト４４は、被検体Ｐが寝台装置４に載置された場合には、シート１１と天板４１の間を通して天板４１を横切る構造になっている。これにより、被検体Ｐの加重がベルト４４にかかっても、シート１１との摩擦が軽減され、ベルト４４が滑らかに長手方向にスライドすることが可能となる。
【００３８】
また、シート１１の短手方向両端にレールを設け、そのレール部分に長手方向に移動可能な結合部材を設け、ベルト４４をシート１１の一方の端にある結合部材を通過させ天板４１とシート１１との間を通しさらに、シート１１の他方の端にある結合部材を通過させて、寝台装置４の短手方向の両端に設けられた支持手段４３双方と結合する構成をとることも可能である。
【００３９】
（ＭＲＩ装置全体の動作）
次に、以上で説明した第１の実施形態に係るＭＲＩ寝台装置を有するＭＲＩ装置について説明する。図４は本実施形態に係るＭＲＩ装置の機能を表すブロック図である。同図に示すＭＲＩ装置は、天板に固定された被検体の内部形態又は機能を反映するデータを検出し、この検出されたデータに基づいて断層画像の画像データを形成する装置である。
【００４０】
静磁場磁石１は、中空の円筒形状に形成されており、その内部空間に一様な静磁場を発生するように作用する。この静磁場磁石１としては、例えば永久磁石や超伝導磁石などが使用される。
【００４１】
傾斜磁場コイル２は、中空の円筒形状をなしており、静磁場磁石１が形成する内部空間に配置されている。この傾斜磁場コイル２は、予め設定された３次元直交座標系（ＸＹＺ座標系）の各座標軸に対応する３つのコイルが組み合わされて形成されている。これら３つのコイルは、電源供給部３から個別に電源供給を受けて、Ｘ、Ｙ、Ｚの各座標軸に沿って磁場強度が傾斜する傾斜磁場を発生する。
【００４２】
なお、Ｚ座標軸は被検体Ｐの体軸方向（後述の天板４１の長手方向）に沿って配置され、静磁場磁石１は、このＺ方向の静磁場を発生する。Ｘ、Ｙ、Ｚの各方向の傾斜磁場は、例えば、スライス選択用傾斜磁場、位相エンコード用傾斜磁場、及びリードアウト用傾斜磁場の方向にそれぞれ対応される。
【００４３】
ここで、スライス選択用傾斜磁場は、任意に撮影断面を決めるために利用される。位相エンコード用傾斜磁場は、空間的位置に応じて磁気共鳴信号の位相をエンコードするために利用される。リードアウト用傾斜磁場は、空間的位置に応じて磁気共鳴信号の位相をエンコードするために利用される。
【００４４】
被検体Ｐは、寝台装置４の天板４１に載置された状態で傾斜磁場コイル２の内部空間（撮影口）に挿入される。天板４１は、寝台制御部５により駆動されて、その長手方向及び上下方向にそれぞれ移動される。通常、この天板４１の長手方向が静磁場磁石１の中心軸に対して平行になるように寝台装置４が設置される。なお、この寝台装置４の構成の詳細については後述する。
【００４５】
ＲＦ（Ｒａｄｉｏ  Ｆｒｅｑｕｅｎｃｙ）コイル８は、傾斜磁場コイル２の内部空間に配置される。ＲＦコイル８は、送信部７から高周波パルスの供給を受けて、高周波磁場を発生する。
【００４６】
送信部７は、ＲＦコイル８に高周波パルスを送信するもので、発信部、位相選択部、周波数変換部、振幅変調部、高周波電力増幅部（いずれも不図示）などを含んで構成される。
【００４７】
発振部は、静磁場中における対象原子核に固有の共鳴周波数の高周波信号を発生する。位相選択部は、この高周波信号の位相を選択する処理を行う。周波数変換部は、位相選択部から出力された高周波信号の周波数を変換する処理を行う。振幅変調部は、周波数偏重部から出力された高周波信号の振幅を例えばシンク関数（ｓｉｎｃ（ｘ）＝ｓｉｎ（ｘ）／ｘ）等の関数にしたがって変調する処理を行う。高周波電力増幅部は、振幅変調部から出力された高周波信号を増幅する処理を行う。送信部７は、高周波電力増幅部により得られるラーモア（Ｌａｒｍｏｒ）周波数に対応する高周波パルスをＲＦコイル８に送信する。
【００４８】
ＲＦコイル８は、発生された高周波磁場の影響により被検体Ｐから放出される磁気共鳴信号をそれぞれ受信し、その受信結果を表す信号を受信部９に出力する。
【００４９】
受信部９は、ＲＦコイル８から出力される信号に基づいて、複数の受信チャンネルのそれぞれに関する磁気共鳴信号データを生成する。
【００５０】
演算制御部１０は、インタフェース部１０１、データ収集部１０２、再構成部１０３、記憶部１０４、表示部１０５、入力部１０６、及び制御部１０７を有している。
【００５１】
インタフェース部１０１には、電源供給部３、寝台制御部５、送信部７、受信部９などが接続されている。インタフェース部１０１は、これら各部と演算制御部１０との間における信号の送受信処理を行う。
【００５２】
データ収集部１０２は、受信部９から出力される磁気共鳴信号データをインタフェース部１０１を介して収集する。データ収集部１０２は、収集した磁気共鳴信号データ（デジタル信号）を記憶部１０４に送って記憶させる。
【００５３】
再構成部１０３は、記憶部１０４に記憶された磁気共鳴信号データに対してフーリエ変換などの画像再構成処理を実行して、被検体Ｐの体内における所望の核スピンのスペクトラムデータや画像データを求める。それにより、被検体Ｐの断層画像の画像データが生成される。
【００５４】
記憶部１０４は、磁気共鳴信号データ、スペクトラムデータ、画像データなどの各種データを記憶する。これらのデータは、例えば各患者毎に記憶されるようになっている。
【００５５】
表示部１０５は、スペクトラムデータや画像データなどの各種データに基づいて、各種の画像や画面を表示する。この表示処理の制御は、制御部１０７によって実行される。この表示部１０５としては、例えばＬＣＤ（Ｌｉｑｕｉｄ  Ｃｒｙｓｔａｌ  Ｄｉｓｐｌａｙ）などの任意の表示デバイスを使用することができる。
【００５６】
入力部１０６は、検者からの各種指定や情報入力を受け付ける。この入力部１０６としては、キーボード、マウス、トラックボール、ジョイスティック、コントロールパネル、又はペンタブレットなどの任意の入力デバイスや操作デバイスを適宜に用いることが可能である。
【００５７】
制御部１０７は、図示しないマイクロプロセッサや記憶装置などを含んで構成され、このＭＲＩ装置の各部を個別に或いは連動させて制御する。
【００５８】
（効果）
以上のような、本実施形態に係るＭＲＩ装置（寝台装置）によれば、支持手段４３は寝台装置４から取り外しが可能であり、また、寝台装置４に取り付けてある場合でも外側に大きく倒れるため、被検体Ｐを寝台装置４の天板４１への載置が容易に行える。
【００５９】
また、支持手段４３がＲＦコイル８を下から支えるため、ＲＦコイル８が載せられている被検体ＰはＲＦコイル８の重量を感じないもしくは少ししか感じない状態で撮影が行える。これにより、被検体Ｐの撮影中の快適性を向上させることができる。
【００６０】
また、被検体Ｐの体格が大きく、検者から見て寝台装置４を挟んで反対側にある支持手段４３が寝台装置４の外側に倒れていて見えない場合でも、寝台装置４の検者側に出ているベルト４４を引っ張ることにより、支持手段４３が起立するため、見えない支持手段４３を探す手間が掛からない。
【００６１】
さらに、支持手段４３は、寝台装置４に接続されたレール４２ａ及びレール４２ｂ上をスライドし、長手方向の自由な位置でＲＦコイル８を支持できるため、被検体Ｐにおける撮影部位にあわせてＲＦコイル８の位置を変更することができる。さらに、ベルト４４がシート１１と天板４１の間を通過するため、被検体Ｐの体重による摩擦の増大の影響を抑えて、ベルト４４の長手方向の位置を変えることができるため、より自由にＲＦコイル８の長手方向の位置を変更することが可能となる。
【図面の簡単な説明】
【００６２】
【図１】本発明に係るＭＲＩ装置における寝台装置の外観構成を表わす斜視図
【図２】本発明に係る寝台装置の一部及び支持手段の模式的な断面図
【図３】本発明に係る寝台装置に被検体が載置された状態の模式的な断面図
【図４】本発明に係るＭＲＩ装置の全体構成を表わすブロック図
【符号の説明】
【００６３】
１  静磁場磁石
２  傾斜磁場コイル
３  電源供給部
４  寝台装置
４１  天板
４２ａ、４２ｂ  レール
４３  支持手段
４３１ａ、４３１ｂ  連結部材
４３２ａ、４３２ｂ  ヒンジ部
４３３ａ、４３３ｂ  板状部材
４３４ａ、４３４ｂ  スリット
４３５ａ、４３５ｂ  バックル
４３６ａ、４３６ｂ  ヒンジ部
４３７ａ、４３７ｂ  受部材
４４  ベルト
４５  面ファスナ
５  寝台制御部
７  送信部
８  ＲＦコイル
９  受信部
１０  演算制御部
１０１  インタフェース部
１０２  データ収集部
１０３  再構成部
１０４  記憶部
１０５  表示部
１０６  入力部
１０７  制御部
Ｐ  被検体
【図１】
2008253410.tif 000003
【図２】
2008253410.tif 000004
【図３】
2008253410.tif 000005
【図４】
2008253410.tif 000006